(57)【特許請求の範囲】
【請求項１】
操作前面側上部に散剤分割手段が配されて、上面部に錠剤分配手段を備え、散剤・錠剤をホッパーから包装部に送り、所要分量ずつ袋体内に封入する薬剤分包装置において、
錠剤分配手段は、所要数の錠剤分配ポケットを周方向に配設される円形分配盤とその下面に接して１個の落下口を備える固定面板とを組合わせ、前記円形分配盤が駆動機構によって回転されて、前記分配ポケットが固定面板の落下口に合致するとその分配ポケットから分配ポケット内の錠剤が前記落下口から落下して包装部へのホッパーに投入される構成とされ、
前記駆動機構は、一台の駆動機により巻掛け伝動体を介して前記錠剤分配手段の円形分配盤の回転歯車機構入力軸を駆動するようにされるとともに、前記巻掛け伝動体上の取付座に前記散剤分割手段の分配器を支持するホルダが結合されることによって前記分配器を駆動するようにされ、かつ前記円形分配盤が一回転すると、前記分配器が最大ストローク前進するように前記錠剤分配手段と散剤分割手段が関係付けられていることを特徴とする薬剤分包装置。
【請求項２】
前記錠剤分配手段の円形分配盤は、その下方に配される固定面板の落下口が包装部のホッパーの上方に位置するように配設されている請求項１に記載の薬剤分包装置。
【発明の詳細な説明】
【０００１】
【発明の属する技術分野】
本発明は、病院や診療所などで処方箋に基づいて調剤分包するのに使用される薬剤分包装置に関するもので、詳しくは回転式の錠剤分割部と散剤分割部とを備えて、全体構造を小型化できる薬剤分包装置に関するものである。
【０００２】
【従来の技術】
従来、病院や診療所あるいは医院で処方箋に基づいて調剤するのに使用されている薬剤分包装置は、散剤と錠剤（カプセル・錠剤）とを取扱うことができて、一般に手元側で散剤を受入れて分割する分割器が設けられ、装置の上面に錠剤を分割するための多数の分割枡が配置されている。そして、散剤の分割手段は、散剤を受入れる分割用枡とその直下に配置される多数の分配枡（分配器）とで構成されており、また、錠剤の分割手段としては、装置頂部に多数の錠剤受入れポケットを多数列に揃え、その直下に同列に揃えてなる分配枡（分配器）とで構成されている。
【０００３】
このような構成の薬剤分包装置にあっては、その散剤の分配枡並びに錠剤の分配枡が、それぞれ独立して包装位置へのホッパー上に移動して、各分配枡の底部に設けられた弁板（開閉板）を順次開閉して包装部へ供給包装する構造にされている。
【０００４】
【発明が解決しようとする課題】
このような従来の薬剤分包装置にあっては、特に錠剤を分割するために設けられる分割枡が、散剤とは異なり投入される錠剤のサイズが大きいカプセル入りの薬剤を扱うために大きなスペースを必要とし、隣接する区画とを確実に区分できるようにする関係上、どうしても広いスペースを必要とする。しかも、分割数がすくなくとも２１包分を必要とする関係から最小７×３の配列が要求される。このようなことから、分割枡の配置部と、その直下で分割された錠剤を受入れて包装のためのホッパー上まで移動させて順次投入するための分配枡とが大きなスペースとなって、装置全体の容量を大きくする原因となっている。
【０００５】
また、従来の分包装置では、散剤の分配枡（分配器）と錠剤の分配枡（分配器）は独立した駆動装置によって駆動される構造となっており、それに伴って駆動機構が複雑化するという問題点がある。当然、製造コストも嵩んで高価になるという問題点もある。
【０００６】
このようなことから、全体の容量が大きくて設置スペースを多く必要とするので、他の調剤機器や薬剤収容棚などの設置によって作業スペースに制限をうける薬局内に設置する薬剤分包装置としては、できるだけ設置スペースが少なくて済む装置が要望され、とりわけ、施療技術の進歩によって調剤薬の品種が増加するに伴い小規模の薬局では、そのような要望が高まっている。
【０００７】
本発明は、このような状況に鑑みてなされたものであって、錠剤の分割供給スペースを合理的に縮小するとともに、包装部への薬剤分割供給を合理化して、効果的に分包機能を高め得る構成の薬剤分包装置を提供することを目的とするものである。
【０００８】
【課題を解決するための手段および作用・効果】
前述された目的を達成するために、本発明による薬剤分包装置は、
操作前面側上部に散剤分割手段が配されて、上面部に錠剤分配手段を備え、散剤・錠剤をホッパーから包装部に送り、所要分量ずつ袋体内に封入する薬剤分包装置において、
錠剤分配手段は、所要数の錠剤分配ポケットを周方向に配設される円形分配盤とその下面に接して１個の落下口を備える固定面板とを組合わせ、前記円形分配盤が駆動機構によって回転されて、前記分配ポケットが固定面板の落下口に合致するとその分配ポケットから分配ポケット内の錠剤が前記落下口から落下して包装部へのホッパーに投入される構成とされ、
前記駆動機構は、一台の駆動機により巻掛け伝動体を介して前記錠剤分配手段の円形分配盤の回転歯車機構入力軸を駆動するようにされるとともに、前記巻掛け伝動体上の取付座に前記散剤分割手段の分配器を支持するホルダが結合されることによって前記分配器を駆動するようにされ、かつ前記円形分配盤が一回転すると、前記分配器が最大ストローク前進するように前記錠剤分配手段と散剤分割手段が関係付けられていることを特徴とするものである。
【０００９】
本発明によれば、錠剤分配手段を円形分配盤にすることで定位置に配置でき、かつこの円形分配盤から直接包装部のホッパーに分割した錠剤を供給できるようにするとともに、その円形分配盤の回転動作と散剤の分配器とを共通の駆動機によって同時駆動する構成としたことにより、装置全体を小型化してコンパクトにまとめることが可能となり、装置構造も簡単な構成とできるので安価に提供できるという効果がある。
【００１０】
また、散剤分割手段の分配器ホルダと前記錠剤分配手段の円形分配盤とが一台の駆動機で駆動できる構成とすることができるので、駆動機構の構造が簡素化でき、装置を小型化するのに効果的である。
【００１１】
前記錠剤分配手段の円形分配盤は、その下方に配される固定面板の落下口が包装部のホッパーの上方に位置するように配設されているのがよい（第３発明）。こうすることで錠剤分配手段の円形分配盤の位置を定位置に設けられ、直接ホッパーに分割した錠剤を投入することになって、従来のような横行する分配器とそのガイドを省略でき、錠剤シュートも不要になるので構造を簡素化できるという効果がある。
【００１２】
【発明の実施の形態】
次に、本発明による薬剤分包装置の具体的な実施の形態につき、図面を参照しつつ説明する。
【００１３】
図１には本発明による薬剤分包装置の一実施形態の全体斜視図が示されており、図２に本実施形態の薬剤分包装置における要部の分解斜視図が、図３に錠剤分割手段と散剤の分配器との駆動関係を表わす要部の模式図が、それぞれ示されている。
【００１４】
この実施形態の薬剤分包装置１は、所要寸法で横長のキャビネット構造にされた本体２の操作前面側３上部の一方に片寄せて周知構造の散剤分割手段４が設けられ、上面の中ほどに錠剤分配手段１０が設けられ、本体２の内部に周知構造の包装部３０が配置されている。
【００１５】
前記散剤分割手段４は、散剤受入れ枡５が周知のＶ型断面をした構造で、その内部にスライド可能に設けられた仕切り板５′の位置を上部に付設される目盛５ｂに合わせて移動させると、投入される散剤を所要量に分割する準備が行えるようになっていて、一方の傾斜する開閉板５ａを回動して開くと投入された散剤が一斉に落下して直下に位置する分配器６（図２参照）内の分配枡６ａに受入れられて分割される構成になっている。なお、前記分配器６は、従来のものと同じ構造で、散剤受入れ枡５の全長に対応する長さ寸法にされた内部を最大分割数に分割されてなる分配区画（分配枡６ａ）を形成され、その底面に弁板（図示省略）が取付けられて包装部３０のホッパーへ散剤を供給する散剤シュートの上部位置で開かれるようにされている。
【００１６】
前記錠剤分配手段１０は、本体２の上面に上部が露出して回転可能に配設される円形分配盤１１と、この円形分配盤１１の下面に接触して固定保持される固定面板１３と、前記円形分配盤１１の中心に一端を固着して回転可能に支持する回転軸１５および本体２の適所に取付く前記回転軸１５の支持軸受構造１６とで構成されている。
【００１７】
前記円形分配盤１１は、その上面に複数の錠剤分配ポケット１２が周方向に分割されて設けられ、それら錠剤分配ポケット１２の底面を解放状態とされていて、この円形分配盤１１の底面に沿うように設けられる固定面板１３によって閉じられている。なお、前記錠剤分配ポケット１２は、例えば処方箋に基づく投薬の関係上、この実施形態では２２個（１個分が落下口１３ａに対して開口しているため、分割包装する最大分割数より１個多く設けられている）に形成されている。また、前記固定面板１３は本体２を構成するフレームの適所に固定されており、前記円形分配盤１１に設けられた複数の錠剤分配ポケット１２のうち１個に対応して開口する落下口１３ａを設けられている。したがって、円形分配盤１１は、回転すると、順次錠剤分配ポケット１２が固定面板１３に設けられた落下口１３ａ位置に合致して内部に受入れた錠剤を、その落下口１３ａから下方に投下させるように関係付けられている。
【００１８】
このような構成の錠剤分配手段１０は、前記落下口１３ａの下部に錠剤シュート１７（図３参照）を配置して、その錠剤シュート１７の下端が分割包装する包装部のほぼ直上位置となるように関係付けて本体２上に設けられている。
【００１９】
このような構成の円形分配盤１１と散剤分割手段の分配器６とは、図２に示されるように、１台のモータによって駆動できるようにされた駆動機構２０でもって駆動操作される。この駆動機構２０は、前記錠剤分配手段１０の円形分配盤１１の回転軸１５下端に取付く減速歯車機構１８の入力軸１８ａ上の歯車１９と、前記散剤分割手段４の散剤分配器６を支持するホルダー７とが同時に駆動されるように、歯付きベルト２１に前記歯車１９を係合させるとともに、前記ホルダー７をその歯付きベルト２１の外面における適所にホルダー取付座を付設して、１台のモータ２２により駆動できるようにされている。なお、前記減速歯車機構１８は、円形分配盤１１における錠剤分配ポケット１２の１ピッチが散剤の分配器６における分割枡６ａの１ピッチに対応するように減速されている。また、駆動用のモータ２２にはステッピングモータが用いられる。
【００２０】
前記モータ２２は図示省略するが本体２のフレームに支持され、その出力軸２２ａに取付くピニオン２４を前記歯付きベルト２１の歯に噛み合わせて駆動できるようにされている。また、その出力軸２２ａには円形分配盤１１並びに散剤分配器６の送りタイミングをとるためのマグネットホルダ２５が取付けられ、このマグネットホルダ２５に対応するようにしてフレーム側にタイミングセンサ２６が設けられている。
【００２１】
一方、前記散剤の分配器６は、従来同様にホルダー７が図示省略するガイドレールに沿って分割位置から分割包装部３０の上部に位置するシュート上方に横行するようにされ、当該位置で順次弁板が開かれて分割枡内からシュートを介してホッパーに、分割された散剤を１包分ずつ放出するようにされている。そのために、前記散剤の分配器６の待機位置（散剤受入れ枡５の直下位置）と分割のために最前進した位置とには、それぞれ停止センサ２７，２７ａが配設され、これによって駆動用のモータ２２の停止を行わせるように図示されない制御部と関連付けられている。なお、散剤の分配器６を支持するホルダ７と歯付きベルト２１上の取付座２３とは締結具によって着脱可能に結合される。図中符号２８はテンションギアである。
【００２２】
このように構成される本実施形態の薬剤分包装置１の作動は、散剤分割手段４において散剤を分割する場合、予め設定されてある散剤受入れ枡５に、処方箋に基づいて所要の散剤を投入して均し、開閉板５ａを回動させて開くと、従来と同様に、直下位置に待機している散剤の分配器６上に落下して分割される。一方錠剤については、本体２上部位置の円形分配盤１１における分配ポケット１２に、それぞれ所要の錠剤（カプセル入りを含む）を分配して投入する。
【００２３】
こうして分割操作が終われば、起動のスイッチを入れることによりモータ２２が起動して歯付きベルト２１が駆動される。この駆動は予め図示されない制御装置において設定されている作動条件に従って間欠もしくは連続して歯付きベルト２１が回動され、散剤は歯付きベルト２１と連結されて包装部３０上方位置のシュート８上方位置で先頭の分割枡６ａから順次弁板が開かれて内部から一包分ずつ散剤をシュート８内に投下される。この投下された散剤はシュート８から包装部３０のホッパー３１を経て用紙ロール３２から繰出される包装紙３２ａの内部に送り込まれ、ヒートシール装置３３で１包分ずつ包装されて送り出される。なお、前記散剤の分配器６は図示されないガイドレールに案内されて水平状態で横行しシュート８の上方で弁板を開き、戻る際に弁板を閉じるようにされている。
【００２４】
一方、錠剤側は、モータ２２の駆動で歯付きベルト２１が駆動されると、その歯付きベルト２１と噛み合っている歯車１９によって減速歯車機構１８の入力軸１８ａから円形分配盤１１の回転軸１５に減速されて回転力が伝達され、円形分配盤１１が錠剤分配ポケット１２の１ピッチ分移動すると、固定面板１３に設けられた落下口１３ａに対応した錠剤分配ポケット１２内から分配投入されている錠剤が錠剤シュート１７に落下して、包装部３０のホッパー３１を経て包装紙３２ａ内に１包分供給されて包装される。以下、この要領で所要分包数分円形分配盤１１を回転させることにより、順次錠剤の包装が行われる。なお、円形分配盤１１が一回転すると、ちょうど散剤の分配器６が最大ストローク前進するように関係付けておくことにより、その分配器６が最前進した位置でセンサ２７ａが作動してモータ２２の駆動を一旦停止する。そこで、スイッチ操作部で、あるいは予め設定されている制御プログラムによってモータ２２を逆転させると、分配器６が待機位置に戻され、センサ２７の作動でモータ２２を停止させ、次の包装開始時まで待機させる。
【００２５】
本実施形態の薬剤分包装置１では、散剤の分配器５と錠剤の円形分配盤１１とが同時に駆動する構成になっているので、散剤のみを分包する場合には、錠剤の分配操作を行わず、逆に錠剤のみを分包するときには散剤の分割操作を行わないようにすることで、別個に包装することができる。したがって、散剤と錠剤を個別に分包する作業時には、いずれか一方の薬剤を分配させるようにすればよく、このときには他方の分割手段（分配手段）は遊動することになる。また、散剤と錠剤を同時に分包させるには、前記要領で両方の分割（分配）手段にそれぞれを投入して駆動機構２０を作動させれば、同時包装ができることになる。
【００２６】
上述のように、本発明によれば、錠剤分割部の構造と駆動機構を合理的にコンパクト化することによって、装置全体を小型化することが可能になり、設置スペースにゆとりを求める薬局の調剤室に配置して有効に活用できる装置とすることができる。
【図面の簡単な説明】
【図１】図１は、本発明による薬剤分包装置の一実施形態の全体斜視図である。
【図２】図２は、本実施形態の薬剤分包装置における要部の分解斜視図である。
【図３】図３は、錠剤分割手段と散剤の分配器との駆動関係を表わす要部の模式図である。
【符号の説明】
１                    薬剤分包装置
２                    本体
４                    散剤分割手段
５                    散剤受入れ枡
６                    散剤の分配器
７                    分配器のホルダ
８                    シュート
１０                  錠剤分配手段
１１                  円形分配盤
１２                  錠剤分配ポケット
１３                  固定面板
１５                  円形分配盤の回転軸
１７                  錠剤シュート
１８                  減速歯車機構
１９                  歯車
２０                  駆動機構
２１                  歯付きベルト
２２                  モータ
２４                  ピニオン
２７，２７ａ          センサ
３０                  包装部
３１                  ホッパー
【図１】
0004022072.tif 000002
【図２】
0004022072.tif 000003
【図３】
0004022072.tif 000004